(57)【要約】  本発明は、交流電源の電力が不足することを回避しつつ、光源に電力を供給することを目的とし、プロジェクタは、光を出射するＬＥＤ光源と、商用交流電源から供給された交流電圧の電力をＬＥＤ光源に供給する電力供給部と、商用交流電源から供給された交流電圧を検出する検出部と、検出部が検出した交流電圧に応じて電力供給部を制御して、電力供給部からＬＥＤ光源に供給されている電力を増減させる制御部と、を含む。
2012137298.tif 000002
【特許請求の範囲】
【請求項１】
光を出射する光源と、
交流電源から供給された交流電圧の電力を前記光源に供給する供給手段と、
前記交流電圧を検出する検出手段と、
前記検出手段が検出した交流電圧に応じて前記供給手段を制御して前記供給手段から前記光源に供給されている電力を増減させる制御手段と、を含む電力制御装置。
【請求項２】
請求項１に記載の電力制御装置において、
前記制御手段は、前記検出手段が検出した交流電圧の振幅が所定の振幅閾値よりも小さい場合には前記光源に供給されている電力を減少させ、前記交流電圧の振幅が前記所定の振幅閾値を超える場合には前記光源に供給されている電力を増加させる、電力制御装置。
【請求項３】
請求項１または２に記載の電力制御装置において、
前記制御手段は、前記検出手段が検出した交流電圧が所定のレベル閾値を超える超過期間を計測し、該超過期間が所定の期間閾値よりも短い場合には前記光源に供給されている電力を減少させ、前記超過期間が前記所定の期間閾値を超える場合には前記光源に供給されている電力を増加させる、電力制御装置。
【請求項４】
請求項３に記載の電力制御装置において、
前記制御手段は、
前記電力制御装置の異常状態を警告するための警告灯と、
前記検出手段が検出した交流電圧の振幅が所定の振幅閾値よりも小さい場合、または、前記超過期間が前記所定の期間閾値よりも短い場合に、前記供給手段を制御して前記光源への電力の供給を停止し、前記警告灯を点灯させる電力制御手段と、を含む、電力制御装置。
【請求項５】
請求項１から４のいずれか１項に記載の電力制御装置において、
前記供給手段は、前記光源に供給する電力を段階的に上げるものとし、
前記制御手段は、
前記電力制御装置から該電力制御装置が配置された部屋の壁までの距離を測定する距離センサと、
前記距離センサが測定した距離に応じて段階的に上げる電力量を変動させる調整手段と、を含む、電力制御装置。
【請求項６】
請求項１から５のいずれか１項に記載の電力制御装置において、
前記光源から出射された光を画像信号に応じて変調し、前記変調された光を画像として投射する投射手段をさらに含む、電力制御装置。
【請求項７】
光を出射する光源を有する電力制御装置の電力制御方法であって、
交流電源から供給された交流電圧の電力を前記光源に供給し、
前記交流電圧を検出し、
前記検出された交流電圧に応じて前記光源に供給されている電力を増減させる、電力制御方法。
【請求項８】
請求項７に記載の電力制御方法において、
前記光源に供給されている電力を増減させることは、
前記交流電圧の振幅が所定の振幅閾値よりも小さい場合には前記光源に供給されている電力を減少させ、前記交流電圧の振幅が前記所定の振幅閾値を超える場合には前記光源に供給されている電力を増加させることを含む、電力制御方法。
【請求項９】
請求項７または８に記載の電力制御方法において、
前記光源に供給されている電力を増減させることは、
前記交流電圧が所定のレベル閾値を超える超過期間を計測し、該超過期間が所定の期間閾値よりも短い場合には前記光源に供給されている電力を減少させ、前記超過期間が前記所定の期間閾値を超える場合には前記光源に供給されている電力を増加させることを含む、電力制御方法。
【発明の詳細な説明】
【技術分野】
【０００１】
本発明は、電力制御装置および電力制御方法に関し、特には、光源に電力を供給する電力制御装置および電力制御方法に関する。
【背景技術】
【０００２】
特許文献１には、光源に電力を供給するプロジェクタが記載されている。特許文献１に記載のプロジェクタは、展示場などの来場者の有無を検出する人感センサと、光源と、を備えている。光源の輝度は、光源に供給される電力が小さくなるほど低下する。【０００３】
特許文献１に記載のプロジェクタは、人感センサが来場者の存在を検出していないときには、光源の輝度を、人感センサが来場者を検出したときよりも下げる。よって、プロジェクタの映像を鑑賞する人がいないときの光源の電力消費量が低減される。
【先行技術文献】
【特許文献】
【０００４】
【特許文献１】特開２０１０−１９７４４０号公報
【発明の概要】
【発明が解決しようとする課題】
【０００５】
展示場などでは交流電源の電力が十分に確保されていない商用交流電源に機器が接続される可能性がある。このような状況で、特許文献１に記載のプロジェクタが使用された場合、プロジェクタに備えられた人感センサが来場者を検出したときに光源に電力が供給され、商用交流電源の電力が不足すると、商用交流電源に接続されている全ての機器が動作しなくなってしまう場合がある。【０００６】
本発明の目的は、交流電源の電力が不足することを回避しつつ、光源に電力を供給することが可能な電力制御装置および電力制御方法を提供することにある。
【課題を解決するための手段】
【０００７】
本発明の電力制御装置は、光を出射する光源と、交流電源から供給された交流電圧の電力を前記光源に供給する供給手段と、前記交流電圧を検出する検出手段と、前記検出手段が検出した交流電圧に応じて前記供給手段を制御して前記供給手段から前記光源に供給されている電力を増減させる制御手段と、を含む。【０００８】
本発明の電力制御方法は、光を出射する光源を有する電力制御装置の電力制御方法であって、交流電源から供給された交流電圧の電力を前記光源に供給し、前記交流電圧を検出し、前記検出された交流電圧に応じて前記光源に供給されている電力を増減させる。
【発明の効果】
【０００９】
本発明によれば、交流電源の電力が不足することを回避しつつ、光源に電力を供給することが可能となる。
【図面の簡単な説明】
【００１０】
【図１】本発明の実施形態におけるプロジェクタを示すブロック図である。
【図２ａ】商用交流電源から供給される交流電圧の波形を示す図である。
【図２ｂ】商用交流電源の電力不足により交流電圧の振幅が小さくなる例を示す図である。
【図２ｃ】商用交流電源の電力不足により交流電圧の波形が歪む例を示す図である。
【図３】プロジェクタの電力制御方法を示すフローチャートである。
【発明を実施するための形態】
【００１１】
以下、本発明の一実施形態について図面を参照して説明する。
【００１２】
図１は、本実施形態におけるプロジェクタの構成例を示すブロック図である。
【００１３】
プロジェクタ１０は、光源に電力を供給する電力制御装置である。プロジェクタ１０は、交流（ＡＣ：Alternating Current）電圧を供給する商用交流電源９に接続されている。
【００１４】
プロジェクタ１０は、表示部１と、電力供給部２と、検出部３と、制御部４と、を備える。表示部１は、ＬＥＤ光源１１〜１３と液晶パネル１４とを備える。検出部３は、トランス３１と電源監視部３２とを備える。制御部４は、ＣＰＵ（Central Processing Unit）４１と、メモリ４２と、距離センサ４３と、警告用ＬＥＤ（Light Emitting Diode）４４と、を備える。ＣＰＵ４１は、Ａ／Ｄ（Analog / Digital）変換部４１１と、幅計測部４１２と、電力制御部４１３と、を備える。
【００１５】
電力供給部２は、一般的に供給手段と呼ぶことができる。
【００１６】
電力供給部２は、ＣＰＵ４１の制御に従って、商用交流電源９から供給された交流電圧の電力をＬＥＤ光源１１〜１３に供給する。電力供給部２は、ＬＥＤ光源１１〜１３に供給する電力を段階的に上げる。また、電力供給部２は、ＬＥＤ光源１１〜１３に供給する電力を段階的に下げる。
【００１７】
ＬＥＤ光源１１〜１３のそれぞれは、電力供給部２から電力を受けたときに光を出射する。ＬＥＤ光源１１〜１３のそれぞれは、光量を０％（パーセント）から１００％までの範囲内のいずれの値にも設定可能な光源である。ＬＥＤ光源１１〜１３は、電力供給部２から供給された電力が大きくなるほど光量が大きくなる。ＬＥＤ光源１１〜１３は、それぞれ、赤色（Ｒ：Red）、緑色（Ｇ：Green）、青色（Ｂ：Blue）の色光を液晶パネル１４へ出射する。
【００１８】
液晶パネル１４は、一般的に投射手段と呼ぶことができる。
【００１９】
液晶パネル１４は、赤、緑および青の各色の映像信号（画像信号）を受け付けると、ＬＥＤ光源１１〜１３から出射された色光を映像信号に応じて色ごとに変調し、その変調された色光を画像として投射する。例えば、液晶パネル１４が、光変調素子としてＬＥＤ光源１１〜１３から出射された色光を映像信号に応じて変調し、不図示の合成プリズムが液晶パネル１４で変調された色光を合成し、不図示の投射レンズが、合成プリズムで合成された合成光を画像としてスクリーンに投射する。
【００２０】
検出部３は、一般的に検出手段と呼ぶことができる。
【００２１】
検出部３は、商用交流電源９から供給された交流電圧を検出する。
【００２２】
図２ａは、電力供給量に余裕がある状態の商用交流電源９から供給される交流電圧の波形を示す。図２ｂは、商用交流電源９の電力が不足することにより交流電圧の振幅が小さくなる例を示す。図２ｃは、商用交流電源９の電力が不足することにより交流電圧の波形が歪む例を示す。図２ａ〜図２ｃでは、縦軸が電圧を示し、横軸が経過時間を示す。
【００２３】
図２ｂに示すように、電力供給が厳しい状態の商用交流電源９から供給された交流電圧の振幅ｙは、商用交流電源９の電力不足により、図２ａに示した振幅ｘよりも小さくなり易い。このため、検出部３は、商用交流電源９から供給された交流電圧の振幅を検出する。
【００２４】
また、図２ｃに示すように、電力供給が厳しい状態の商用交流電源９から供給される交流電圧の波形は歪み易い。よって、商用交流電源９から供給された交流電圧の幅ｂ、すなわち、所定のレベル閾値を超える超過期間は、図２ａに示した交流電圧の幅ａよりも小さくなり易い。このため、検出部３は、商用交流電源９から供給された交流電圧の幅（歪み）、すなわち、超過期間を検出する。
【００２５】
トランス３１は、商用交流電源９から供給された交流電圧を降圧し、その降圧された交流電圧を電力供給部２と電源監視部３２とに出力する。
【００２６】
電源監視部３２は、トランス３１から出力された交流電圧を検出する。電源監視部３２は、交流電圧の振幅を検出し、その振幅に応じて信号レベルが変化するアナログ信号を振幅信号としてＡ／Ｄ変換部４１１に供給する。電源監視部３２は、交流電圧の振幅が大きいほど、信号レベル（振幅）の大きな振幅信号を出力する。
【００２７】
また、電源監視部３２は、トランス３１から出力された交流電圧が所定のレベル閾値を超える超過期間だけ、Ｈ（Ｈｉｇｈ）レベルの検出信号を幅計測部４１２に出力し、超過期間外の期間にＬ（Ｌｏｗ）レベルの検出信号を出力する。
【００２８】
制御部４は、電力供給部２がＬＥＤ光源１１〜１３に電力を供給している状況で、検出部３が検出した交流電圧に応じて電力供給部２を制御して電力供給部２からＬＥＤ光源１１〜１３に供給されている電力を調整する。
【００２９】
本実施形態では、制御部４は、電力供給部２がＬＥＤ光源１１〜１３に電力を供給している状況で検出部３が検出した交流電圧の振幅が、所定の振幅閾値よりも小さい場合にはＬＥＤ光源１１〜１３に供給している電力を減少させる。一方、制御部４は、交流電圧の振幅が所定の振幅閾値を超える場合には、ＬＥＤ光源１１〜１３に供給している電力を増加させる。
【００３０】
また、制御部４は、電力供給部２がＬＥＤ光源１１〜１３に電力を供給している状況で、検出部３が検出した交流電圧が所定のレベル閾値を超える超過期間を測定する。そして制御部４は、その超過期間が所定の期間閾値よりも短い場合にはＬＥＤ光源１１〜１３に供給している電力を減少させ、超過期間が所定の期間閾値を超える場合にはＬＥＤ光源１１〜１３に供給している電力を増加させる。
【００３１】
ＣＰＵ４１は、一般的に調整手段と呼ぶことができる。
【００３２】
ＣＰＵ４１は、電源監視部３２から出力される信号を用いてＬＥＤ光源１１〜１３に供給している電力を増減するための制御信号を電力供給部２に出力する。
【００３３】
Ａ／Ｄ変換部４１１は、電源監視部３２から振幅信号を受け付けると、その振幅信号をデジタルデータに変換する。Ａ／Ｄ変換部４１１は、振幅信号の振幅が大きいほど、大きな振幅値を示すデジタルデータを振幅情報として電力制御部４１３に供給する。
【００３４】
幅計測部４１２は、トランス３１から出力された交流電圧の歪みを検出するために、交流電圧の幅を計測するタイマである。幅計測部４１２は、電源監視部３２から検出信号を受け付けると、交流電圧の交流周期内に検出信号がＨレベルとなる期間を計測する。つまり、幅計測部４１２は、交流電圧が所定のレベル閾値を超える超過期間を交流電圧の幅として計測する。幅計測部４１２は、計測した超過期間を示す幅情報を電力制御部４１３に供給する。
【００３５】
メモリ４２は、商用交流電源９の電力不足を検出するための所定の振幅閾値と所定の期間閾値とを保持するワークメモリである。本実施形態では、所定の振幅閾値として、電力供給部２がＬＥＤ光源１１〜１３に電力を供給する前の振幅情報が示す振幅値から所定のマージン値を減算した値が用いられる。また、所定の期間閾値として、電力供給部２がＬＥＤ光源１１〜１３に電力を供給する前に計測された超過期間から特定のマージン値を減算した値が用いられる。
【００３６】
距離センサ４３は、プロジェクタ１０が設置された部屋の大きさを測定するために用いられる。例えば、プロジェクタ１０には部屋の大きさを特定するために複数の距離センサ４３が設けられる。距離センサ４３は、プロジェクタ１０からプロジェクタ１０が設置された部屋の壁までの距離を測定する。距離センサ４３は、測定した距離を示す距離情報を電力制御部４１３に供給する。
【００３７】
電力制御部４１３は、一般的に電力制御手段と呼ぶことができる。
電力制御部４１３は、検出部３が検出した交流電圧の振幅が所定の振幅閾値よりも小さい場合、または、超過期間が所定の期間閾値よりも短い場合に、電力供給部２を制御してＬＥＤ光源１１〜１３への電力の供給を停止し、警告用ＬＥＤ４４を点灯させる。
【００３８】
本実施形態では、電力制御部４１３は、Ａ／Ｄ変換部４１１から振幅情報を、幅計測部４１２から幅情報を、距離センサ４３から距離情報を、それぞれ受け付ける。
【００３９】
電力制御部４１３は、距離センサ４３から距離情報を受け付けると、距離情報が示す距離に応じて段階的に上げる電力量（以下、「増加ステップ幅」と称する）を変動させる。本実施形態では、電力制御部４１３は、距離情報の示す距離が大きいほど増加ステップ幅を大きくする。
【００４０】
電力制御部４１３は、電力供給部２がＬＥＤ光源１１〜１３に電力を供給している状況で振幅情報を受け付けると、その振幅情報の示す振幅値がメモリ４２内の所定の振幅閾値を超えるか否かを判断する。
【００４１】
そして電力制御部４１３は、振幅情報の示す振幅値が所定の振幅閾値を超える場合には、距離情報に応じて決定された増加ステップ幅を示す増幅信号を電力供給部２に出力する。電力制御部４１３から増幅信号を受け付けると電力供給部２は、増幅信号に示された増加ステップ幅だけＬＥＤ光源１１〜１３に供給している電力を上げる。
【００４２】
一方、電力制御部４１３は、振幅情報の示す振幅値が所定の振幅閾値以下である場合には、電力を段階的に下げる電力量として減少ステップ幅を示す減少信号を電力供給部２に出力する。電力制御部４１３から減少信号を受け付けると電力供給部２は、減少信号に示された減少ステップ幅だけＬＥＤ光源１１〜１３に供給している電力を下げる。
【００４３】
また、電力制御部４１３は、電力供給部２がＬＥＤ光源１１〜１３に電力を供給している状況で幅計測部４１２から幅情報を受け付けると、その幅情報の示す超過期間がメモリ４２内の所定の期間閾値を超えるか否かを判断する。
【００４４】
そして電力制御部４１３は、幅情報の示す超過期間が所定の期間閾値を超える場合には増幅信号を電力供給部２に供給し、幅情報の示す超過期間が所定の期間閾値以下である場合には減少信号を電力供給部２に供給する。
【００４５】
本実施形態では、電力供給部２が電力を供給している状況で電力制御部４１３は、振幅情報の示す振幅値が所定の振幅閾値以下である場合、または、幅情報の示す超過期間が所定の期間閾値以下である場合に減少信号を電力供給部２に供給する。一方、電力制御部４１３は、振幅情報の示す振幅値が所定の振幅閾値を超える場合、かつ、幅情報の示す超過期間が所定の期間閾値を超える場合に増幅信号を電力供給部２に供給する。
【００４６】
警告用ＬＥＤ４４は、一般的に警告灯と呼ぶことができる。
【００４７】
警告用ＬＥＤ４４は、プロジェクタ１０の異常状態をユーザに警告するために用いられる。例えば、警告用ＬＥＤ４４は、商用交流電源９の電力不足に伴いＬＥＤ光源１１〜１３が消灯したときに点灯する。
【００４８】
プロジェクタ１０の動作について以下に説明する。
【００４９】
図３は、プロジェクタ１０の電力制御方法を示すフローチャートである。
【００５０】
プロジェクタ１０が商用交流電源９に接続されると、プロジェクタ１０では、商用交流電源９から供給された電力が、電源監視部３２とＣＰＵ４１とメモリ４２とにのみ供給される。このプロジェクタ１０の状態をスタンバイ状態と称する。
【００５１】
プロジェクタ１０のスタンバイ状態において、ＣＰＵ４１は、振幅閾値と期間閾値とを求めるために電源監視部３２が検出した交流電圧の振幅と幅（歪み）を計測する（ステップＳ９１１）。
【００５２】
具体的には、スタンバイ状態においてＡ／Ｄ変換部４１１は、電源監視部３２から、交流電圧の振幅に応じて振幅信号の振幅が変化する振幅信号を受け付け、その振幅信号を振幅信号の振幅値を示す振幅情報に変換する。そしてＡ／Ｄ変換部４１１は、その振幅情報の示す振幅値から所定のマージン値を減算して振幅閾値を求め、その振幅閾値を所定の振幅閾値としてメモリ４２に記録する。
【００５３】
さらに幅計測部４１２は、電源監視部３２から検出信号を受け付け、その検出信号がＨレベルとなる超過期間を計測し、その超過期間から特定のマージン値を減算して期間閾値を求め、その期間閾値を所定の期間閾値としてメモリ４２に記録する。なお、スタンバイ状態でのプロジェクタ１０の消費電力は、一般的に１Ｗ（ワット）以下である。よって、交流商用電源９に与える影響は軽微である。
【００５４】
その後、プロジェクタ１０の電源（Ｐｏｗｅｒ）がＯｎに設定されると、電力供給部２がＯｎ状態となる。そして電力供給部２は、必要最小限の初期値の電力をＬＥＤ光源１１〜１３に供給する（ステップＳ９１２）。
【００５５】
ＬＥＤ光源１１〜１３に初期値の電力が供給されると、Ａ／Ｄ変換部４１１は、電源監視部３２から振幅信号を受け付け、その振幅信号の振幅値を示す振幅情報を電力制御部４１３に供給すると共に、幅計測部４１２は、電源監視部３２から検出信号を受け付け、検出信号がＨレベルとなる超過期間を計測し、その超過期間を示す幅情報を電力制御部４１３に供給する（ステップＳ９１３）。
【００５６】
振幅情報と幅情報とを受け付けると電力制御部４１３は、振幅情報の示す振幅値がメモリ４２内の所定の振幅閾値以下であるか、または、幅情報の示す超過期間がメモリ４２内の所定の期間閾値以下であるかを判断する（ステップＳ９１４）。
【００５７】
すなわち、電力制御部４１３は、スタンバイ状態での交流電圧の振幅および幅（歪み）と、プロジェクタ１０がＯｎ状態での交流電圧の振幅および幅（歪み）とを比較し、Ｏｎ状態での交流電圧の振幅が一定値以下であるか、または、Ｏｎ状態での交流電圧の幅の変化量が一定値以上であるかを判断する。
【００５８】
振幅情報の示す振幅値がメモリ４２内の所定の振幅閾値以下である場合、または、幅情報の示す超過期間がメモリ４２内の所定の期間閾値以下である場合には、電力制御部４１３は、電力供給部２が初期値の電力をＬＥＤ光源１１〜１３に供給しているか否かを確認する（ステップＳ９１８）。
【００５９】
ＬＥＤ光源１１〜１３に初期値の電力が供給されている場合に電力制御部４１３は、ＬＥＤ光源１１〜１３に供給している電力を停止し、その後に警告用ＬＥＤ４４を点灯させ（ステップＳ９２０）、プロジェクタ１０の電力制御方法を終了する。これは、商用交流電源９から供給される電力をこれ以上大きくすると商用交流電源９に接続されている全ての機器が動作しなくなる恐れがあるからである。  
【００６０】
一方、ＬＥＤ光源１１〜１３に初期値の電力よりも高い電力が供給されている場合に電力制御部４１３は、電力供給部２を制御してＬＥＤ光源１１〜１３に供給している電力を所定の減少ステップ幅だけ減少させる（ステップＳ９１９）。
【００６１】
また、ステップＳ９１４において、振幅情報の示す振幅値が所定の振幅閾値以下である場合、かつ、幅情報の示す超過期間が所定の期間閾値以下である場合には電力制御部４１３は、ＬＥＤ光源１１〜１３への電力の供給可能な範囲内での上限値の電力を電力供給部２がＬＥＤ光源１１〜１３に供給しているか否かを確認する（ステップＳ９１５）。
【００６２】
ＬＥＤ光源１１〜１３に上限値の電力が供給されている場合にはステップＳ９１３に戻る。一方、ＬＥＤ光源１１〜１３に上限値の電力よりも低い電力が供給されている場合に電力制御部４１３は、ＬＥＤ光源１１〜１３に供給している電力を所定の増加ステップ幅だけ増加させる（ステップＳ９１６）。
【００６３】
その後、電力制御部４１３は、プロジェクタ１０の電源がＯｆｆに設定されたか否かを確認する（ステップＳ９１９）。そして電力制御部４１３は、プロジェクタ１０の電源がＯｆｆに設定されていなければ、ステップＳ９１３に戻り、ステップＳ９１３乃至Ｓ９２０までの一連の処理手順をプロジェクタ１０の電源がＯｆｆに設定されるまで繰り返し行う。また、プロジェクタ１０の電源がＯｆｆに設定されると、プロジェクタ１０は、電力制御方法の処理手順を終了する。
【００６４】
なお、距離センサ４３を備えるプロジェクタ１０では、電力制御部４１３が、距離センサ４３から距離情報を受け付けると、その距離情報の示す距離が大きいほど増加ステップ幅を大きくする。よって、ＬＥＤ光源１１〜１３に供給する電力を段階的に上げるのに要する時間を短縮することが可能となる。
【００６５】
本実施形態によれば、光を出射するＬＥＤ光源１１〜１３と、商用交流電源９から供給された交流電圧の電力をＬＥＤ光源１１〜１３に供給する電力供給部２とを有するプロジェクタ１０において、検出部３が、商用交流電源９から供給された交流電圧を検出し、制御部４は、検出部３にて検出された交流電圧に応じて電力供給部２を制御して、電力供給部２からＬＥＤ光源１１〜１３に供給されている電力を増減する。
【００６６】
一般に、商用交流電圧９が電力不足になると、商用交流電圧９から供給される交流電圧の波形が変化する。このため、プロジェクタ１０は、商用交流電源９から供給された交流電圧の波形に応じて商用交流電源９の電力不足を判断し、商用交流電源９が電力不足である場合にはＬＥＤ光源１１〜１３に供給している電力を下げる。
【００６７】
例えば、プロジェクタ１０が、ＬＥＤ光源１１〜１３への電力供給の可能な範囲内での上限値の電力を供給している状況で、商用交流電源９に新たに機器が接続され、商用交流電源９が電力不足となることも考えられる。この場合にプロジェクタ１０は、商用交流電源９から供給された交流電圧の波形の変化を検出してＬＥＤ光源１１〜１３に供給している電力を下げることができる。よって、商用交流電源９の電力不足により、商用交流電源９に接続されている全ての機器の動作が停止してしまうことを回避することができる。
【００６８】
また、プロジェクタ１０がＬＥＤ光源１１〜１３に上限値よりも低い電力を供給している状況で商用交流電源９に接続されていた機器が商用交流電源から取り外されると、商用交流電源９の電力不足が解消される場合も考えられる。この場合にはプロジェクタ１０は、商用交流電源９から供給された交流電圧の波形の変化を検出してＬＥＤ光源１１〜１３に供給している電力を上げることもできる。
【００６９】
よって、プロジェクタ１０は、商用交流電源９が電力不足にならない範囲内でＬＥＤ電源１１〜１３に電力を供給することができる。このため、プロジェクタ１０は、商用交流電源９が電力不足になることを回避しつつ、ＬＥＤ光源１１〜１３に電力を供給することが可能となる。
【００７０】
したがって、ＬＥＤ光源１１〜１３から出射された光を変調し、その変調された光を画像として投射する液晶パネル１４を有するプロジェクタ１０は、商用交流電源９に接続されている他の機器に影響を与えることなく、画像をスクリーンに投射することができる。
【００７１】
また、本実施形態では、制御部４は、検出部３にて検出された交流電圧の振幅が所定の振幅閾値を超える場合にはＬＥＤ光源１１〜１３に供給している電力を増加させる。また制御部４は、交流電圧の振幅が所定の振幅閾値よりも小さい場合にはＬＥＤ光源１１〜１３に供給している電力を減少させる。
【００７２】
一般に、商用交流電源９の電力が不足するほど、商用交流電源９から供給される交流電圧の振幅は小さくなり易い。このため、プロジェクタ１０は、検出部３にて検出された交流電圧の振幅の大きさに応じて商用交流電源９の電力不足を判断し、交流電圧の振幅が小さいほどＬＥＤ光源１１〜１３に供給している電力を下げる。
【００７３】
また、本実施形態では、制御部４が、検出部３にて検出された交流電圧が所定のレベル閾値を超える超過期間を計測する。そして制御部４は、計測した超過期間が所定の期間閾値を超える場合にはＬＥＤ光源１１〜１３に供給している電力を増加させ、超過期間が所定の期間閾値よりも短い場合にはＬＥＤ光源１１〜１３に供給している電力を減少させる。
【００７４】
一般に、商用交流電源９の電力の不足量が大きくなるほど、商用交流電源９から供給される交流電圧の歪みは大きくなり易い。また、交流電圧の歪みが大きいほど交流電圧の所定のレベル閾値の超過期間は短くなり易い。このため、プロジェクタ１０は、交流電圧が所定のレベル閾値を超える超過期間を計測し、その超過期間が短いほどＬＥＤ光源１１〜１３に供給する電力を下げる。
【００７５】
よって、プロジェクタ１０は、超過期間の長さに応じて商用交流電源９の電力不足に起因する交流電圧の歪みの大きさを判断し、交流電圧の歪みが大きいほどＬＥＤ光源１１〜１３に供給している電力を下げることができる。
【００７６】
また、本実施形態では、制御部４は、検出部３にて検出された交流電圧の振幅が所定の振幅閾値よりも小さい場合、または、計測した超過期間が所定の期間閾値よりも短い場合にＬＥＤ光源１１〜１３に供給される電力を減少させる。
【００７７】
このため、プロジェクタ１０は、交流電圧の振幅の変化と、交流電圧の波形の歪みとの両者を検出して商用交流電源９の電力が不足状態か否かを判断する。よって、プロジェクタ１０は、商用交流電源９の電力不足をより精度良く検出することが可能となる。
【００７８】
また、本実施形態では、電力制御装置の異常状態を警告するための警告用ＬＥＤ４４が設けられ、電力制御部４１３は、検出部３が検出した交流電圧の振幅が所定の振幅閾値よりも小さい場合、または、超過期間が所定の期間閾値よりも短い場合に、電力供給部２を制御してＬＥＤ光源１１〜１３への電力の供給を停止し、警告用ＬＥＤ４４を点灯させる。
【００７９】
このため、商用交流電源９の電力が不足している状況では、プロジェクタ１０は、ＬＥＤ光源１１〜１３への電力供給を停止するため、商用交流電源９の電力不足をさらに悪化させることを回避することができる。よって、商用交流電源９に接続されている機器に与える影響を抑制することができる。さらに、プロジェクタ１０は、ＬＥＤ光源１１〜１３への電力供給を停止すると警告用ＬＥＤ４４を点灯させるため、プロジェクタ１０の使用者に商用交流電源９の電力不足を警告することが可能となる。このため、使用者にとってはＬＥＤ光源１１〜１３の消灯の原因の特定が容易となる。
【００８０】
また、本実施形態では、電力供給部２が、ＬＥＤ光源１１〜１３に供給する電力を段階的に上げる。また、距離センサ４３は、プロジェクタ１０から、プロジェクタ１０が設置された部屋の壁までの距離を測定する。そしてＣＰＵ４１は、距離センサ４３が測定した距離が大きいほど段階的に上げる電力量を大きくする。
【００８１】
このため、プロジェクタ１０は、プロジェクタ１０が配置された部屋が大きい場合には商用交流電源９の電力の供給量が大きいと判断し、段階的に上げる電力量を大きくする。よって、電力の供給量が大きな商用交流電源９が大きな部屋に設けられている状況でプロジェクタ１０は、ＬＥＤ光源１１〜１３に供給する電力を上限値まで上げるのに要する時間を短縮することができる。
【００８２】
本実施形態では、ＬＥＤ光源１１〜１３を備えるプロジェクタ１０に本発明を適用する例について説明したが、本発明は、蛍光灯などの照明装置や、ディスプレイなどのモニタ装置にも適用することが可能である。
【００８３】
以上説明した実施形態において、図示した構成は単なる一例であって、本発明はその構成に限定されるものではない。
【符号の説明】
【００８４】
１０  プロジェクタ
１  表示部
１１〜１３  ＬＥＤ光源
１４  液晶パネル
２  電力供給部
３  検出部
３１  トランス
３２  電源監視部
４  制御部
４１  ＣＰＵ
４１１  Ａ／Ｄ変換部
４１２  幅計測部
４１３  電力制御部
４２  メモリ
４３  距離センサ
４４  警告用ＬＥＤ
【図１】
2012137298.tif 000003
【図２ａ】
2012137298.tif 000004
【図２ｂ】
2012137298.tif 000005
【図２ｃ】
2012137298.tif 000006
【図３】
2012137298.tif 000007
【国際調査報告】
2012137298.tif 000008
2012137298.tif 000009
2012137298.tif 000010
2012137298.tif 000011